(57)【要約】【課題】ユーザが複数の認証情報を用意してアクセス通信システム毎に使い分ける必要をなくし、公衆無線通信システムにおいて通信端末と通信システムとの間で暗号鍵を安全かつ容易に共有する。【解決手段】ユーザ端末は、あらかじめ移動体通信システムとの間で認証情報と暗号鍵情報とを共有している。ユーザ端末は両通信システムとの通信機能を持つ一体型端末であるため、移動体通信システムで使用する認証情報と暗号鍵情報とを公衆無線通信システムにおいてデータとして使用する。移動体通信システムと公衆無線通信システムとはシステム間でこれらの情報を連携する。これによりユーザ端末と公衆無線通信システムとの間で認証情報と暗号鍵情報とを共有する。これらの情報を使って認証や無線区間での通信データの暗号化を行う。【選択図】  図１
2004364166.tif 000002
【特許請求の範囲】
【請求項１】
第一の認証手段を備えた第一の通信システムと、
第二の認証手段を備えた第二の通信システムと、
この第一および第二の通信システムの双方と通信する手段およびあらかじめ定められた認証情報および暗号鍵情報を記憶する手段を備えたユーザ端末と
を備え、
前記第一の認証手段は、
ユーザ端末対応にあらかじめ定められた認証情報および暗号鍵情報を保持する手段と、
この保持する手段に保持された認証情報と前記ユーザ端末から送信された認証情報とを比較して前記ユーザ端末を認証する手段と
を備えた暗号化通信システムにおいて、
前記ユーザ端末は、前記第二の認証手段に対して前記あらかじめ定められた認証情報を送信する手段を備え、
前記第二の認証手段は、
前記ユーザ端末から送信された認証情報を受け取ると前記第一の認証手段に当該認証情報を含む認証要求を送信する手段と、
この認証要求に対する前記第一の認証手段からの応答に基づき前記ユーザ端末を認証する手段と
を備え、
前記第一の認証手段は、前記第二の認証手段からの前記認証情報を含む認証要求に基づき前記ユーザ端末の認証を行いその結果を前記第二の認証手段に応答する手段を備えた
ことを特徴とする暗号化通信システム。
【請求項２】
前記ユーザ端末は、
前記第二の認証する手段により正当性が認証された旨の通知を受けて前記あらかじめ定められた暗号鍵情報に基づき前記第二の通信システムとの間で送受信されるデータを暗号化または復号化する手段を備え、
前記第二の通信システムは、
前記第二の認証する手段により前記ユーザ端末の正当性が認証されると前記第一の認証手段の前記保持する手段に保持された当該ユーザ端末に対応する暗号鍵情報を前記第一の認証手段に要求して取得する手段と、
この取得する手段により取得した暗号鍵情報に基づき前記ユーザ端末との間で送受信されるデータを暗号化または復号化する手段と
を備え、
前記第一の認証手段は、前記第二の認証手段の要求に応じて前記保持する手段に保持された暗号鍵情報を前記第二の認証手段に送信する手段を備えた
請求項１記載の暗号化通信システム。
【請求項３】
第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用される前記ユーザ端末において、
前記第二の認証手段に対して前記あらかじめ定められた認証情報を送信する手段を備えたことを特徴とするユーザ端末。
【請求項４】
前記第二の認証する手段により正当性が認証された旨の通知を受けて前記あらかじめ定められた暗号鍵情報に基づき前記第二の通信システムとの間で送受信されるデータを暗号化または復号化する手段を備えた請求項３記載のユーザ端末。
【請求項５】
第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用され、前記第一の認証手段を備えた契約者管理サーバにおいて、
前記ユーザ端末は、前記第二の認証手段に対して前記あらかじめ定められた認証情報を送信し、前記第二の認証手段は、前記ユーザ端末から送信された認証情報を受け取ると前記第一の認証手段に当該認証情報を含む認証要求を送信し、この認証要求に対する前記第一の認証手段からの応答に基づき前記ユーザ端末を認証し、
前記第二の認証手段からの前記認証情報を含む認証要求に基づき前記ユーザ端末の認証を行いその結果を前記第二の認証手段に応答する手段を備えた
ことを特徴とする契約者管理サーバ。
【請求項６】
前記ユーザ端末は、前記第二の認証する手段により正当性が認証された旨の通知を受けて前記あらかじめ定められた暗号鍵情報に基づき前記第二の通信システムとの間で送受信されるデータを暗号化または復号化し、前記第二の通信システムは、前記第二の認証する手段により前記ユーザ端末の正当性が認証されると前記第一の認証手段の前記保持する手段に保持された当該ユーザ端末に対応する暗号鍵情報を前記第一の認証手段に要求して取得し、この取得した暗号鍵情報に基づき前記ユーザ端末との間で送受信されるデータを暗号化または復号化し、
前記第二の認証手段の要求に応じて前記保持する手段に保持された暗号鍵情報を前記第二の認証手段に送信する手段を備えた
請求項５記載の契約者管理サーバ。
【請求項７】
第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用され、前記第二の認証手段を備えた認証装置において、
前記ユーザ端末は、前記第二の認証手段に対して前記あらかじめ定められた認証情報を送信し、
前記第二の認証手段は、
前記ユーザ端末から送信された認証情報を受け取ると前記第一の認証手段に当該認証情報を含む認証要求を送信する手段と、
この認証要求に対する前記第一の認証手段からの応答に基づき前記ユーザ端末を認証する手段と
を備えた
ことを特徴とする認証装置。
【請求項８】
第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用され、前記第二の通信システムに設けられた暗号化装置において、
前記第二の認証する手段により前記ユーザ端末の正当性が認証されると前記第一の認証手段の前記保持する手段に保持された当該ユーザ端末に対応する暗号鍵情報を前記第一の認証手段に要求して取得する手段と、
この取得する手段により取得した暗号鍵情報に基づき前記ユーザ端末との間で送受信されるデータを暗号化または復号化する手段と
を備えたことを特徴とする暗号化装置。
【請求項９】
情報処理装置にインストールすることにより、その情報処理装置に、請求項３または４記載のユーザ端末あるいは請求項５または６記載の契約者管理サーバあるいは請求項７記載の認証装置あるいは請求項８記載の暗号化装置に相応する機能を実現させることを特徴とするプログラム。
【請求項１０】
第一の認証手順を行う第一の通信システムと、第二の認証手順を行う第二の通信システムと、この第一および第二の通信システムの双方と通信すると共にあらかじめ定められた認証情報および暗号鍵情報が書き込まれたユーザ端末とを備え、前記第一の認証手順を行うに際し、ユーザ端末対応に保持されたあらかじめ定められた認証情報と前記ユーザ端末から送信された認証情報とを比較して前記ユーザ端末を認証する暗号化通信方法において、
前記ユーザ端末は、前記第二の認証手順を行うに際して前記あらかじめ定められた認証情報を送信するステップを実行し、
前記第二の通信システムは、前記第二の認証手順を行うに際し、
前記ユーザ端末から送信された認証情報を受け取ると、前記第一の認証手段に当該認証情報を含む認証要求を送信するステップと、
この認証要求に対する前記第一の認証手段からの応答に基づき前記ユーザ端末を認証するステップと
を実行し、
前記第一の認証手段は、前記第二の認証手段からの前記認証情報を含む認証要求に基づき前記ユーザ端末の認証を行いその結果を前記第二の認証手段に応答するステップを実行する
ことを特徴とする暗号化通信方法。
【請求項１１】
前記ユーザ端末は、
前記第二の認証手順により正当性が認証された旨の通知を受けて前記あらかじめ定められた暗号鍵情報に基づき前記第二の通信システムとの間で送受信されるデータを暗号化または復号化するステップを実行し、
前記第二の通信システムは、
前記第二の認証手順により前記ユーザ端末の正当性が認証されると前記第一の通信システムに保持された当該ユーザ端末に対応する暗号鍵情報を前記第一の通信システムに要求して取得するステップと、
この取得した暗号鍵情報に基づき前記ユーザ端末との間で送受信されるデータを暗号化または復号化するステップと
を実行し、
前記第一の通信システムは、前記第二の通信システムの要求に応じて保持された暗号鍵情報を前記第二の通信システムに送信するステップを実行する
請求項１０記載の暗号化通信方法。
【発明の詳細な説明】
【０００１】
【発明の属する技術分野】
本発明は、異なる通信方式を有する複数の通信システムと通信可能なユーザ端末を用いた通信に利用する。例えば、携帯電話あるいはＰＨＳと無線ＬＡＮとが一つのユーザ端末によって利用可能であるような通信システムに関する。
【０００２】
【従来の技術】
インターネットや企業網への接続に利用できるアクセス通信システムとして携帯電話やＰＨＳなどの移動体通信システムと、公衆無線ＬＡＮなどの公衆無線通信システムがある。これらのアクセス通信システムは、提供エリアや通信速度、利用料金などの特徴がそれぞれ異なり、ユーザは用途や場所などに応じてアクセス通信システムを使い分けることができる。
【０００３】
アクセス通信システムを提供する事業者は、ユーザが接続したときにそのユーザがサービスを契約しているかどうかの認証を行う。このとき、ユーザを識別するための認証情報は、アクセス通信システムによって異なる。例えば、携帯電話を利用する場合は携帯端末の内部に書き込まれている電話番号や機体番号を使って認証を行う。また、公衆無線ＬＡＮを利用する場合はＭＡＣアドレスやユーザＩＤを使って認証を行う。したがって、ユーザが複数の通信システムを利用する場合は、それぞれの通信システム毎に認証情報を用意し、使い分ける必要がある。
【０００４】
通信データの暗号化方式には、暗号化と復号化で同じ鍵を使う共通鍵暗号方式と異なる鍵を使う公開鍵暗号方式とがある。共通鍵暗号は公開鍵暗号に比べて処理が高速なため、通信データの暗号化には共通鍵暗号を使用する場合が多い。しかしながら共通鍵暗号は通信する両者が同じ鍵を共有しなければならないため、第三者に知られずに鍵の交換を行う仕組みが必要となる。
【０００５】
携帯電話やＰＨＳなどの移動体通信システムにおいても、無線区間において通信データの暗号化を行うことが一般的である。暗号化に使う鍵情報はユーザがサービスを契約した際に事業者が通信端末の中に認証情報と一緒に暗号鍵情報を書き込んでおく。また事業者は同じ情報を移動体通信システムにて管理する。これにより通信端末と通信システムとの間で同じ暗号鍵情報が共有でき、両者の間で暗号化通信を行うことができる。
【０００６】
しかし、無線ＬＡＮなどの公衆無線通信システムでは、移動体通信システムのように事業者が通信端末の中に暗号鍵情報を書き込むことはない。したがって通信データの暗号化を行う際には通信端末と通信システムとの間で暗号鍵情報を安全に共有することが困難である。
【０００７】
【特許文献１】
特開２００２−１６３２３４号公報
【特許文献２】
特開平１０−２８２８８号公報
【０００８】
【発明が解決しようとする課題】
例えば、特許文献１には、他システムの認証を代行する認証システムを設けておき、複数システム間で認証情報を共有する技術が開示されている。また、例えば、特許文献２には、複数のシステム間で認証情報を共有する技術が開示されている。これらの先行技術によれば、ユーザが複数の通信システムを利用する場合に、それぞれの通信システム毎に認証情報を用意し、使い分ける不便さは解消されることが期待できる。
【０００９】
しかし、特許文献１または２に開示された先行技術によっても、なお、無線ＬＡＮなどの公衆無線通信システムにおいて、通信端末と通信システムとの間での暗号鍵情報を安全に共有するための問題点を解決するには至っていない。
【００１０】
本発明は、このような背景に行われたものであって、ユーザが複数の認証情報を用意してアクセス通信システム毎に使い分ける必要がなくなり、さらに、公衆無線通信システムにおいて通信端末と通信システムとの間で暗号鍵を安全かつ容易に共有することができ、秘匿性の高い暗号化通信を可能とすることができる暗号化通信システムを提供することを目的とする。
【００１１】
【課題を解決するための手段】
本発明は、移動体通信システムにおける認証情報や無線区間における通信データの暗号化のための鍵情報として使用する電話番号、機体番号、秘匿鍵などを、携帯電話、ＰＨＳなどの移動体通信システムと無線ＬＡＮなどの公衆無線通信システムの間で連携することにより、移動体通信システムを含む複数のデータ通信方式を持つ複合端末（例：ＰＨＳと無線ＬＡＮのコンボカード）がこれらの情報を公衆無線通信システムでの認証情報および暗号情報として使用することを特徴としている。
【００１２】
これにより複合端末を持つユーザは、複数の認証情報を用意して通信システム毎に使い分ける必要がなくなる。また、公衆無線通信システムにおいて通信端末と通信システムとの間で暗号鍵を安全かつ容易に共有することができ、秘匿性の高い暗号化通信が可能となる。
【００１３】
従来からの移動体通信システムでは、ユーザ端末がサービスを契約した際、移動体通信システム事業者はユーザの持つ複合端末の内部に認証情報および暗号鍵情報を書き込む。また移動体通信システム事業者は同じ情報を通信システム内で管理する。
【００１４】
これによりユーザ端末はサービスを契約した時点で移動体通信システムとの間で共有情報を持つことになる。移動体通信システムを利用する場合はこの情報を使って接続認証や無線区間でのデータの暗号化を行う。
【００１５】
本発明では、この共有情報を無線ＬＡＮなどの公衆無線通信システムでの認証情報や暗号鍵情報として利用する。図１は本発明の概要を説明するための図であるが、この図１を参照すると、本システムはユーザ端末１００と、携帯電話、ＰＨＳなどの移動体通信システム２００と、無線ＬＡＮなどの移動体以外の公衆無線通信システム３００とから構成される。ユーザ端末１００は移動体通信システム２００と公衆無線通信システム３００の両方の通信システムとの通信機能を持つ。また、ユーザ端末１００は、あらかじめ移動体通信システム２００との間で認証情報と暗号鍵情報とを共有している。
【００１６】
ユーザ端末１００は両通信システムとの通信機能を持つ一体型端末であるため、移動体通信システム２００で使用する認証情報と暗号鍵情報とを公衆無線通信システム３００においてデータとして使用することができる。また、移動体通信システム２００と公衆無線通信システム３００とはシステム間でこれらの情報を連携する。これによりユーザ端末１００と公衆無線通信システム３００との間で認証情報と暗号鍵情報とを共有することができ、これらの情報を使って認証や無線区間での通信データの暗号化を行うことができる。
【００１７】
すなわち、本発明の第一の観点は、第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムである。
【００１８】
ここで、本発明の特徴とするところは、前記ユーザ端末は、前記第二の認証手段に対して前記あらかじめ定められた認証情報を送信する手段を備え、前記第二の認証手段は、前記ユーザ端末から送信された認証情報を受け取ると前記第一の認証手段に当該認証情報を含む認証要求を送信する手段と、この認証要求に対する前記第一の認証手段からの応答に基づき前記ユーザ端末を認証する手段とを備え、前記第一の認証手段は、前記第二の認証手段からの前記認証情報を含む認証要求に基づき前記ユーザ端末の認証を行いその結果を前記第二の認証手段に応答する手段を備えたところにある。
【００１９】
さらに、前記ユーザ端末は、前記第二の認証する手段により正当性が認証された旨の通知を受けて前記あらかじめ定められた暗号鍵情報に基づき前記第二の通信システムとの間で送受信されるデータを暗号化または復号化する手段を備え、前記第二の通信システムは、前記第二の認証する手段により前記ユーザ端末の正当性が認証されると前記第一の認証手段の前記保持する手段に保持された当該ユーザ端末に対応する暗号鍵情報を前記第一の認証手段に要求して取得する手段と、この取得する手段により取得した暗号鍵情報に基づき前記ユーザ端末との間で送受信されるデータを暗号化または復号化する手段とを備え、前記第一の認証手段は、前記第二の認証手段の要求に応じて前記保持する手段に保持された暗号鍵情報を前記第二の認証手段に送信する手段を備えることができる。
【００２０】
本発明の第二の観点は、第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用される前記ユーザ端末である。
【００２１】
ここで、本発明の特徴とするところは、前記第二の認証手段に対して前記あらかじめ定められた認証情報を送信する手段を備えたところにある。
【００２２】
さらに、前記第二の認証する手段により正当性が認証された旨の通知を受けて前記あらかじめ定められた暗号鍵情報に基づき前記第二の通信システムとの間で送受信されるデータを暗号化または復号化する手段を備えることができる。
【００２３】
本発明の第三の観点は、第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用され、前記第一の認証手段を備えた契約者管理サーバである。
【００２４】
ここで、本発明の特徴とするところは、前記ユーザ端末は、前記第二の認証手段に対して前記あらかじめ定められた認証情報を送信し、前記第二の認証手段は、前記ユーザ端末から送信された認証情報を受け取ると前記第一の認証手段に当該認証情報を含む認証要求を送信し、この認証要求に対する前記第一の認証手段からの応答に基づき前記ユーザ端末を認証し、前記第一の認証手段は、前記第二の認証手段からの前記認証情報を含む認証要求に基づき前記ユーザ端末の認証を行いその結果を前記第二の認証手段に応答する手段を備えたところにある。
【００２５】
さらに、前記ユーザ端末は、前記第二の認証する手段により正当性が認証された旨の通知を受けて前記あらかじめ定められた暗号鍵情報に基づき前記第二の通信システムとの間で送受信されるデータを暗号化または復号化し、前記第二の通信システムは、前記第二の認証する手段により前記ユーザ端末の正当性が認証されると前記第一の認証手段の前記保持する手段に保持された当該ユーザ端末に対応する暗号鍵情報を前記第一の認証手段に要求して取得し、この取得した暗号鍵情報に基づき前記ユーザ端末との間で送受信されるデータを暗号化または復号化し、前記第二の認証手段の要求に応じて前記保持する手段に保持された暗号鍵情報を前記第二の認証手段に送信する手段を備えることができる。
【００２６】
本発明の第四の観点は、第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用され、前記第二の認証手段を備えた認証装置である。
【００２７】
ここで、本発明の特徴とするところは、前記ユーザ端末は、前記第二の認証手段に対して前記あらかじめ定められた認証情報を送信し、前記第二の認証手段は、前記ユーザ端末から送信された認証情報を受け取ると前記第一の認証手段に当該認証情報を含む認証要求を送信する手段と、この認証要求に対する前記第一の認証手段からの応答に基づき前記ユーザ端末を認証する手段とを備えたところにある。
【００２８】
本発明の第五の観点は、第一の認証手段を備えた第一の通信システムと、第二の認証手段を備えた第二の通信システムと、この第一および第二の通信システムの双方と通信する手段およびあらかじめ定められた認証情報および暗号鍵情報を記憶する手段を備えたユーザ端末とを備え、前記第一の認証手段は、ユーザ端末対応にあらかじめ定められた認証情報および暗号鍵情報を保持する手段と、この保持する手段に保持された認証情報と前記ユーザ端末から送信された認証情報とを比較して前記ユーザ端末を認証する手段とを備えた暗号化通信システムに適用され、前記第二の通信システムに設けられた暗号化装置である。
【００２９】
ここで、本発明の特徴とするところは、前記第二の認証する手段により前記ユーザ端末の正当性が認証されると前記第一の認証手段の前記保持する手段に保持された当該ユーザ端末に対応する暗号鍵情報を前記第一の認証手段に要求して取得する手段と、この取得する手段により取得した暗号鍵情報に基づき前記ユーザ端末との間で送受信されるデータを暗号化または復号化する手段とを備えたところにある。
【００３０】
本発明の第六の観点は、情報処理装置にインストールすることにより、その情報処理装置に、本発明のユーザ端末あるいは本発明の契約者管理サーバあるいは本発明の認証装置あるいは本発明の暗号化装置に相応する機能を実現させることを特徴とするプログラムである。
【００３１】
本発明のプログラムは記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３２】
これにより、汎用の情報処理装置を用いて、ユーザが複数の認証情報を用意してアクセス通信システム毎に使い分ける必要がなくなり、さらに、公衆無線通信システムにおいて通信端末と通信システムとの間で暗号鍵を安全かつ容易に共有することができ、秘匿性の高い暗号化通信を可能とすることができる暗号化通信システムを実現することができる。
【００３３】
本発明の第七の観点は、第一の認証手順を行う第一の通信システムと、第二の認証手順を行う第二の通信システムと、この第一および第二の通信システムの双方と通信すると共にあらかじめ定められた認証情報および暗号鍵情報が書き込まれたユーザ端末とを備え、前記第一の認証手順を行うに際し、ユーザ端末対応に保持されたあらかじめ定められた認証情報と前記ユーザ端末から送信された認証情報とを比較して前記ユーザ端末を認証する暗号化通信方法である。
【００３４】
ここで、本発明の特徴とするところは、前記ユーザ端末は、前記第二の認証手順を行うに際して前記あらかじめ定められた認証情報を送信するステップを実行し、前記第二の通信システムは、前記第二の認証手順を行うに際し、前記ユーザ端末から送信された認証情報を受け取ると、前記第一の認証手段に当該認証情報を含む認証要求を送信するステップと、この認証要求に対する前記第一の認証手段からの応答に基づき前記ユーザ端末を認証するステップとを実行し、前記第一の通信システムは、前記第二の通信システムからの前記認証情報を含む認証要求に基づき前記ユーザ端末の認証を行いその結果を前記第二の通信システムに応答するステップを実行するところにある。
【００３５】
さらに、前記ユーザ端末は、前記第二の認証手順により正当性が認証された旨の通知を受けて前記あらかじめ定められた暗号鍵情報に基づき前記第二の通信システムとの間で送受信されるデータを暗号化または復号化するステップを実行し、前記第二の通信システムは、前記第二の認証手順により前記ユーザ端末の正当性が認証されると前記第一の通信システムに保持された当該ユーザ端末に対応する暗号鍵情報を前記第一の通信システムに要求して取得するステップと、この取得した暗号鍵情報に基づき前記ユーザ端末との間で送受信されるデータを暗号化または復号化するステップとを実行し、前記第一の通信システムは、前記第二の通信システムの要求に応じて保持された暗号鍵情報を前記第二の通信システムに送信するステップを実行することができる。
【００３６】
【発明の実施の形態】
本発明実施形態を図１ないし図３を参照して説明する。図１は本発明の概要を説明するための図である。図２は本実施形態の暗号化通信システムの構成図である。図３は本実施形態のユーザ端末の構成図である。
【００３７】
本実施形態は、図１および図２に示すように、第一の認証手段である契約者管理サーバ２０３を備えた移動体通信システム２００と、第二の認証手段である認証装置３０３を備えた公衆無線通信システム３００と、図３に示すように、この移動体通信システム２００および公衆無線通信システム３００の双方と通信する通信モジュール１０１および１０２およびあらかじめ定められた認証情報１０４および暗号鍵情報１０５を記憶するメモリを備えたユーザ端末１００とを備え、契約者管理サーバ２０３は、ユーザ端末対応にあらかじめ定められた認証情報および暗号鍵情報を保持する手段と、この保持する手段に保持された認証情報とユーザ端末１００から送信された認証情報とを比較してユーザ端末１００を認証する手段とを備えた暗号化通信システムである。
【００３８】
ここで、本実施形態の特徴とするところは、ユーザ端末１００は、認証装置３０３に対して前記あらかじめ定められた認証情報を通信モジュール１０２により送信し、認証装置３０３は、ユーザ端末１００から送信された認証情報を受け取ると契約者管理サーバ２０３に当該認証情報を含む認証要求を送信する手段と、この認証要求に対する契約者管理サーバ２０３からの応答に基づきユーザ端末１００を認証する手段とを備え、契約者管理サーバ２０３は、認証装置３０３からの前記認証情報を含む認証要求に基づきユーザ端末１００の認証を行いその結果を認証装置３０３に応答する手段を備えたところにある。
【００３９】
さらに、ユーザ端末１００は、図３に示すように、認証装置３０３により正当性が認証された旨の通知を受けて前記あらかじめ定められた暗号鍵情報に基づき公衆無線通信システム３００との間で送受信されるデータを暗号化または復号化する暗号化装置３０２を備え、公衆無線通信システム３００は、認証装置３０３によりユーザ端末１００の正当性が認証されると契約者管理サーバ２０３の前記保持する手段に保持された当該ユーザ端末１００に対応する暗号鍵情報を契約者管理サーバ２０３に要求して取得する手段と、この取得する手段により取得した暗号鍵情報に基づきユーザ端末１００との間で送受信されるデータを暗号化または復号化する手段とを備え、契約者管理サーバ２０３は、認証装置３０３の要求に応じて前記保持する手段に保持された暗号鍵情報を認証装置３０３に送信する手段を備える。
【００４０】
以下では、本実施形態をさらに詳細に説明する。図２に示すように、本システムはユーザ端末１００と、移動体通信システム２００と、公衆無線通信システム３００と、インターネットや企業網などのネットワーク４００から構成される。ユーザ端末１００は移動体通信システム２００と公衆無線通信システム３００との２つの通信システムとの通信機能を持つ一体型端末である。移動体通信システム２００はユーザ端末との間で無線通信を行う無線基地局２０１と、交換システム２０２と、契約者情報を管理する契約者管理サーバ２０３と、ネットワーク４００との接続を行うゲートウェイ２０４から構成される。公衆無線通信システム３００はユーザ端末１００との間で無線通信を行う無線基地局３０１と、ユーザ端末１００との間で暗号通信を行うための暗号化および復号化機能を持つ暗号化装置３０２と、ユーザ端末の接続認証を行う認証装置３０３と、ネットワーク４００との接続を行うゲートウェイ３０４とから構成される。
【００４１】
図３にユーザ端末１００の一例を示す。ここでユーザ端末１００は複数の通信機能を持ったＰＣに装着されるＰＣカードである。ユーザ端末１００は移動体通信システム２００と通信を行うための通信モジュール１０１と、公衆無線通信システム３００と通信を行うための通信モジュール１０２とこれらの通信を制御する通信制御部１０３と、移動体通信システム２００の通信サービスを契約したときに書き込まれる認証情報１０４および暗号鍵情報１０５と、暗号鍵情報１０５を使ってデータ通信の暗号化を行う暗号化機能部１０６とＰＣとのインタフェース１０７とからなる。
【００４２】
契約者管理サーバ２０３では移動体通信システム２００のサービス契約者を認証するための認証情報および無線区間でのデータ暗号化に使用する暗号鍵情報を管理している。
【００４３】
移動体通信システム２００と公衆無線通信システム３００とはネットワークで接続されており、公衆無線通信システム３００内の認証装置３０３と移動体通信システム２００内の契約者管理サーバ２０３は通信することができる。
【００４４】
図２および図３を用いて本発明の実施例を説明する。まず、ユーザ端末１００が移動体通信システム２００を使ってインターネットや企業網とデータ通信を行う場合の手順を説明する。この場合の接続認証手順および無線区間におけるデータ暗号化手順は従来の携帯電話やＰＨＳを使った通信手順と同様である。
【００４５】
ユーザ端末１００は接続開始時に無線基地局２０１との間で認証手順を行う。このときユーザ端末１００の通信制御部１０３は認証情報１０４を読み出し、通信モジュール１０１を介して無線基地局２０１に送信する。無線基地局２０１は契約者管理サーバ２０３に認証情報を送信し、契約者管理サーバ２０３は自らの契約者管理情報（認証情報）を使用して認証処理を行う。認証が正常に完了した場合、契約者管理サーバ２０３は無線基地局２０１にユーザ端末１００の暗号鍵情報を通知し、ユーザ端末１００と無線基地局２０１とは共有された鍵情報を元に暗号通信を行う。ユーザ端末１００はＰＣからの送信データがある場合、暗号化機能部１０６が暗号鍵情報１０５を使って送信データを暗号化し、通信モジュール１０１を介して無線基地局２０１に送信する。無線基地局２０１はユーザ端末１００の暗号鍵情報を使って復号化し、交換システム２０２、ゲートウェイ２０４を介してネットワーク４００に転送する。同時に、ネットワーク４００からのデータはゲートウェイ２０４、交換システム２０２を経由し無線基地局２０１で暗号化してユーザ端末１００に送信する。データを受信したユーザ端末１００は暗号化機能部１０６が暗号鍵情報１０５を使って復号化し、インタフェース１０７を介してＰＣに渡される。
【００４６】
次に、ユーザ端末１００が公衆無線通信システム３００を使ってインターネットや企業網とデータ通信を行う場合の手順を説明する。この手順が本発明の特徴となる。
【００４７】
ユーザ端末１００は接続開始時に無線基地局３０１を介して認証装置３０３との間で認証処理を行う。このときユーザ端末１００は認証情報として移動体通信システム２００の認証情報１０４を、通信モジュール１０２を介して認証装置３０３に送信する。認証情報を受信した認証装置３０３はこの認証情報を移動体通信システム２００内の契約者管理サーバ２０３に送信し、認証を要求する。契約者管理サーバ２０３は自らの契約者管理情報（認証情報）を使用して認証処理を行い、その結果を認証装置３０３に応答する。認証装置３０３はユーザ端末１００が契約者であった場合は接続を許可し、契約者でなかった場合は接続を不可とする。
【００４８】
以上の説明のように、移動体通信システム２００と公衆無線通信システム３００との間において認証情報の連携を行うことにより、ユーザ端末１００は移動体通信システム２００の認証情報を持っていれば公衆無線通信システム３００との接続が可能となる。
【００４９】
さらに契約者管理サーバ２０３は認証処理が正常に完了した場合は認証装置３０３からの要求に応じてユーザ端末１００の暗号鍵情報を認証装置３０３に通知する。暗号鍵情報を受け取った認証装置３０３はその情報を暗号化装置３０２に通知する。これにより、ユーザ端末１００と暗号化装置３０２との間で暗号鍵情報の共有が可能となり、その間でのデータ暗号化通信が可能となる。ユーザ端末１００はＰＣからの送信データがある場合、暗号化機能部１０６が暗号鍵情報１０５を使って送信データを暗号化し、通信モジュール１０２を介して暗号化装置３０２に送信する。暗号化装置３０２は認証装置３０３から通知された暗号鍵情報を使って復号化し、ゲートウェイ３０４を介してネットワーク４００に転送する。同様に、ネットワーク４００からのデータは暗号化装置３０２でユーザ端末１００の暗号鍵情報を使って暗号化し、ユーザ端末１００に送信する。データを受信したユーザ端末１００は暗号化機能部１０６が暗号鍵情報１０５を使って暗号化し、インタフェース１０７を介してＰＣに渡される。
【００５０】
以上の手順のように、移動体通信システム２００と公衆無線通信システム３００との間において暗号鍵情報の連携を行うことにより、ユーザ端末１００は移動体通信システムの暗号鍵情報を持っていれば公衆無線通信システム３００において暗号化通信が可能となる。
【００５１】
本発明は、汎用の情報処理装置にインストールすることにより、その情報処理装置に本発明の暗号化通信システムに相応する機能を実現させるプログラムとして実現することができる。このプログラムは、記録媒体に記録されて情報処理装置にインストールされ、あるいは通信回線を介して情報処理装置にインストールされることにより当該情報処理装置に、本実施形態で説明したユーザ端末１００、契約者管理サーバ２０３、認証装置３０３、暗号化装置３０２にそれぞれ相応する機能を実現させることができる。
【００５２】
【発明の効果】
以上説明したように、本発明によれば、第一の効果は、ユーザが複数の認証情報を用意してアクセス通信システム毎に使い分ける必要がなくなる点にある。この理由は移動体通信システムにおける認証情報を公衆無線通信システムにおける認証情報として使用するためである。
【００５３】
第二の効果は、公衆無線通信システムにおいて通信端末と通信システムとの間で暗号鍵を安全かつ容易に共有することができ、秘匿性の高い暗号化通信が可能となる点にある。これは、ユーザが容易に改竄できない移動体通信システムの暗号鍵情報を移動体以外の公衆無線通信システムにおける暗号鍵情報として使用するためである。
【図面の簡単な説明】
【図１】本発明の概要を説明するための図。
【図２】本実施形態の暗号化通信システムの構成図。
【図３】本実施形態のユーザ端末の構成図。
【符号の説明】
１００  ユーザ端末
１０１、１０２  通信モジュール
１０３  通信制御部
１０４  認証情報
１０５  暗号鍵情報
１０６  暗号化機能部
１０７  インタフェース
２００  移動体通信システム
２０１、３０１  無線基地局
２０２  交換システム
２０３  契約者管理サーバ
２０４、３０４  ゲートウェイ
３００  公衆無線通信システム
３０２  暗号化装置
３０３  認証装置
４００  ネットワーク
【図１】
2004364166.tif 000003
【図２】
2004364166.tif 000004
【図３】
2004364166.tif 000005